(57)【要約】【課題】ユーザに違和感を与えることを回避しつつ迅速に所望の表示画面を表示することができる携帯端末及び表示制御方法を提供する。【解決手段】表示部２５を有する携帯端末１であって、表示部２５のフォーカスの移動指示を入力するキー入力部２０と、所定期間内のキー入力部２０の操作回数を取得するキー入力カウント部２３と、操作回数に対応するフォーカスの移動量に基づいてフォーカスの移動位置を算出し、算出された移動位置に基づいて移動途中のフォーカスを描画することなく移動後のフォーカスのみを表示部２５に描画させる表示制御部２４とを備えて構成する。【選択図】図３
2011203862.tif 000002
【特許請求の範囲】
【請求項１】
表示部を有する携帯端末であって、
前記表示部のフォーカスの移動指示を入力する操作部と、
所定期間内の前記操作部の操作回数を取得する操作回数取得部と、
前記操作回数に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させる描画部と、
を備える携帯端末。
【請求項２】
前記操作部は、所定方向への前記フォーカスの移動を指示する第１操作部と、前記所定方向とは正反対の方向への前記フォーカスの移動を指示する第２操作部とを有し、
前記操作回数取得部は、前記所定期間内の前記第１操作部の操作回数及び前記所定期間内の前記第２操作部の操作回数を取得し、
前記描画部は、前記第１操作部の操作回数と前記第２操作部の操作回数との差分に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させること、
を特徴とする請求項１に記載の携帯端末。
【請求項３】
表示部と、前記表示部のフォーカスの移動指示を入力する操作部と、前記操作部の操作回数を取得する操作回数取得部と、前記フォーカスを移動させて前記表示部に描画させる描画部とを備える携帯端末の表示制御方法であって、
前記操作部により前記表示部の前記フォーカスの移動指示を入力する入力ステップと、
前記操作回数取得部により所定期間内の前記操作部の操作回数を取得する操作回数取得ステップと、
前記描画部により、前記操作回数に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させる描画ステップと、
を備える表示制御方法。
【請求項４】
表示部を有する携帯端末であって、
前記表示部のスクロール指示を入力する操作部と、
所定期間内の前記操作部の操作回数を取得する操作回数取得部と、
前記操作回数に対応するスクロール量に基づいてスクロール位置を算出し、算出された前記スクロール位置に基づいてスクロール途中の画面を描画することなくスクロール後の画面のみを前記表示部に描画させる描画部と、
を備える携帯端末。
【請求項５】
前記操作部は、所定方向へのスクロールを指示する第１操作部と、前記所定方向とは正反対の方向へのスクロールを指示する第２操作部とを有し、
前記操作回数取得部は、前記所定期間内の前記第１操作部の操作回数及び前記所定期間内の前記第２操作部の操作回数を取得し、
前記描画部は、前記第１操作部の操作回数と前記第２操作部の操作回数との差分に対応するスクロール量に基づいてスクロール位置を算出し、算出された前記スクロール位置に基づいてスクロール途中の画面を描画することなくスクロール後の画面のみを前記表示部に描画させること、
を特徴とする請求項４に記載の携帯端末。
【請求項６】
表示部と、前記表示部のスクロール指示を入力する操作部と、前記操作部の操作回数を取得する操作回数取得部と、画面をスクロールさせて前記表示部に描画させる描画部とを備える携帯端末の表示制御方法であって、
前記操作部により前記表示部のスクロール指示を入力する入力ステップと、
前記操作回数取得部により所定期間内の前記操作部の操作回数を取得する操作回数取得ステップと、
前記描画部により、前記操作回数に対応するスクロール量に基づいてスクロール位置を算出し、算出された前記スクロール位置に基づいてスクロール途中の画面を描画することなくスクロール後の画面のみを前記表示部に描画させる描画ステップと、
を備える表示制御方法。
【発明の詳細な説明】
【技術分野】
【０００１】
本発明は、携帯端末及び表示制御方法に関するものである。
【背景技術】
【０００２】
従来、電子機器として、操作するユーザの感覚に合せてフォーカス移動や画面スクロールを行うものが知られている。（例えば、特許文献１，２参照。）。特許文献１記載の表示装置は、カーソル移動の操作が連続入力された場合には、カーソル位置を数文字分戻すものである。また、特許文献２記載の携帯端末は、スクロール操作部の操作により表示画面をスクロールさせるとともに、表示画面のスクロール表示中に、さらにスクロール操作部の操作を検知した場合には、スクロール進行先の所定の表示画像に切り替えるスクロールジャンプ制御を行い、最新の操作に応じてスクロールジャンプ制御後の表示画像から目標表示画面までをスクロール表示により移行させるものである。
【先行技術文献】
【特許文献】
【０００３】
【特許文献１】特開平５−８０９３６号公報
【特許文献２】特開２００８−１５５９２号公報
【発明の概要】
【発明が解決しようとする課題】
【０００４】
特許文献１，２記載の電子機器は、ユーザの操作スピードと描画性能との差を埋める事により、ユーザに与える違和感を軽減するものである。しかしながら、特許文献１，２記載の電子機器にあっては、ユーザに与える違和感を十分に軽減できるとはいえない。例えば、特許文献１記載の表示装置にあっては、カーソル移動の操作が余分に操作された分を相殺するように数文字分戻すため、ユーザが操作部を押下した回数を記憶している場合には、押下した回数から想定されるカーソル位置まで移動せず、結果としてユーザに違和感を与えるおそれがある。さらに、特許文献２記載の携帯端末にあっては、目標とする位置の手前からスクロールするため、操作回数に応じたスクロール量を認識しているユーザが操作部を押下した回数を記憶している場合には、押下した回数から想定されるスクロール位置まで時間がかかり、結果としてユーザに違和感を与えるおそれがある。
【０００５】
そこで、本発明は上記に鑑みてなされたものであって、ユーザに違和感を与えることを回避しつつ迅速に所望の表示画面を表示することができる携帯端末及び表示制御方法を提供することを目的とする。
【課題を解決するための手段】
【０００６】
すなわち、本発明に係る携帯端末は、表示部を有する携帯端末であって、前記表示部のフォーカスの移動指示を入力する操作部と、所定期間内の前記操作部の操作回数を取得する操作回数取得部と、前記操作回数に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させる描画部とを備えて構成される。
【０００７】
本発明に係る携帯端末では、操作部により表示部のフォーカスの移動指示が入力され、操作回数取得部により所定期間内の操作部の操作回数が取得され、描画部により、操作回数に対応するフォーカスの移動量に基づいてフォーカスの移動位置が算出され、算出された移動位置に基づいて移動途中のフォーカスが描画されることなく移動後のフォーカスのみが表示部に描画される。このため、フォーカス移動の操作が連続して行われた場合であっても、フォーカスの移動中の描画を省略することができるので、迅速に所望の表示画面を表示することが可能となる。さらに、ユーザが操作部を操作した回数分フォーカスが移動するため、ユーザが想定するフォーカスの移動量と実際のフォーカスの移動量とを一致させることができる。よって、ユーザに違和感を与えることを回避することが可能となる。
【０００８】
ここで、前記操作部は、所定方向への前記フォーカスの移動を指示する第１操作部と、前記所定方向とは正反対の方向への前記フォーカスの移動を指示する第２操作部とを有し、前記操作回数取得部は、前記所定期間内の前記第１操作部の操作回数及び前記所定期間内の前記第２操作部の操作回数を取得し、前記描画部は、前記第１操作部の操作回数と前記第２操作部の操作回数との差分に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させることが好適である。
【０００９】
このように構成することで、同一方向へのフォーカス移動と反対方向へのフォーカス移動とが混在する操作が連続して入力された場合であっても、ユーザに違和感を与えることを回避しつつ迅速に所望の表示画面を表示することができる。
【００１０】
また、本発明に係る表示制御方法は、表示部と、前記表示部のフォーカスの移動指示を入力する操作部と、前記操作部の操作回数を取得する操作回数取得部と、前記フォーカスを移動させて前記表示部に描画させる描画部とを備える携帯端末の表示制御方法であって、前記操作部により前記表示部の前記フォーカスの移動指示を入力する入力ステップと、前記操作回数取得部により所定期間内の前記操作部の操作回数を取得する操作回数取得ステップと、前記描画部により、前記操作回数に対応する前記フォーカスの移動量に基づいて前記フォーカスの移動位置を算出し、算出された前記移動位置に基づいて移動途中の前記フォーカスを描画することなく移動後の前記フォーカスのみを前記表示部に描画させる描画ステップとを備えて構成される。
【００１１】
本発明に係る表示制御方法によれば、上述した携帯端末と同様の効果を奏する。
【００１２】
また、本発明に係る携帯端末は、表示部を有する携帯端末であって、前記表示部のスクロール指示を入力する操作部と、所定期間内の前記操作部の操作回数を取得する操作回数取得部と、前記操作回数に対応するスクロール量に基づいてスクロール位置を算出し、算出された前記スクロール位置に基づいてスクロール途中の画面を描画することなくスクロール後の画面のみを前記表示部に描画させる描画部とを備えて構成される。
【００１３】
本発明に係る携帯端末では、操作部により表示部のスクロール指示が入力され、操作回数取得部により所定期間内の操作部の操作回数が取得され、描画部により、操作回数に対応するスクロール量に基づいてスクロール位置が算出され、算出されたスクロール位置に基づいてスクロール途中の画面が描画されることなくスクロール後の画面のみが表示部に描画される。このため、スクロールの操作が連続して行われた場合であっても、スクロール中の描画を省略することができるので、迅速に所望の表示画面を表示することが可能となる。さらに、ユーザが操作部を操作した回数分スクロールするため、ユーザが想定するスクロール量と実際のスクロール量とを一致させることができる。よって、ユーザに違和感を与えることを回避することが可能となる。
【００１４】
ここで、前記操作部は、所定方向へのスクロールを指示する第１操作部と、前記所定方向とは正反対の方向へのスクロールを指示する第２操作部とを有し、前記操作回数取得部は、前記所定期間内の前記第１操作部の操作回数及び前記所定期間内の前記第２操作部の操作回数を取得し、前記描画部は、前記第１操作部の操作回数と前記第２操作部の操作回数との差分に対応するスクロール量に基づいてスクロール位置を算出し、算出された前記スクロール位置に基づいてスクロール途中の画面を描画することなくスクロール後の画面のみを前記表示部に描画させることが好適である。
【００１５】
このように構成することで、同一方向へのスクロールと反対方向へのスクロールとが混在する操作が連続して入力された場合であっても、ユーザに違和感を与えることを回避しつつ迅速に所望の表示画面を表示することができる。
【００１６】
さらに、本発明に係る表示制御方法は、表示部と、前記表示部のスクロール指示を入力する操作部と、前記操作部の操作回数を取得する操作回数取得部と、画面をスクロールさせて前記表示部に描画させる描画部とを備える携帯端末の表示制御方法であって、前記操作部により前記表示部のスクロール指示を入力する入力ステップと、前記操作回数取得部により所定期間内の前記操作部の操作回数を取得する操作回数取得ステップと、前記描画部により、前記操作回数に対応するスクロール量に基づいてスクロール位置を算出し、算出された前記スクロール位置に基づいてスクロール途中の画面を描画することなくスクロール後の画面のみを前記表示部に描画させる描画ステップとを備えている。
【００１７】
本発明に係る表示制御方法によれば、上述した携帯端末と同様の効果を奏する。
【発明の効果】
【００１８】
本発明によれば、ユーザに違和感を与えることを回避しつつ迅速に所望の表示画面を表示することができる。
【図面の簡単な説明】
【００１９】
【図１】実施形態に係る携帯端末の概要図である。
【図２】実施形態に係る携帯端末のハードウェア構成図である。
【図３】実施形態に係る携帯端末の機能を示すブロック図である。
【図４】実施形態に係る携帯端末の動作を示すフローチャートである。
【図５】実施形態に係る携帯端末のフォーカス移動を説明する概要図である。
【図６】実施形態に係る携帯端末のスクロールを説明する概要図である。
【発明を実施するための形態】
【００２０】
以下、添付図面を参照して本発明に係る携帯端末及び表示制御方法の実施形態を詳細に説明する。なお、図面の説明において同一の要素には同一の符号を付し、重複する説明を省略する。
【００２１】
本実施形態に係る携帯端末及び表示制御方法は、例えば、ブラウザ、メール、電話帳等の閲覧、表示アプリケーションの操作等をする際に好適に採用されるものである。まず、本実施形態に係る携帯端末の概要について、図１を参照して説明する。図１は、携帯端末１の概要図である。
【００２２】
図１に示すように、携帯端末１は、ユーザにより携帯される移動端末であって、画面を表示する出力デバイス１５を備えている。携帯端末１として、例えば携帯電話やＰＨＳ、ＰＤＡ（Personal  Digital  Assistant）等が用いられる。また、携帯端末１は、出力デバイス１５により表示された画面をユーザが操作するための入力デバイス１４を備えている。入力デバイス１４は、図１に示すように出力デバイス１５に表示されたタッチスクリーン式のボタンであってもよいし、携帯端末１に設けられた操作ボタンや操作ホイール等であってもよい。携帯端末１は、入力デバイス１４が受け付けたユーザの操作に基づいて、画面の所定位置にフォーカスＦを移動させ、又は画面をスクロールする機能を有している。
【００２３】
次に、携帯端末１のハードウェア構成について詳細を説明する。図２は、携帯端末１のハードウェア構成図である。図２に示すように、携帯端末１は、物理的には、上記の出力デバイス１５及び入力デバイス１４の他に、ＣＰＵ１１、ＲＯＭ１２及びＲＡＭ１３等の主記憶装置、ハードディスク等の補助記憶装置１７等を含む通常のコンピュータシステムとして構成される。後述する携帯端末１の各機能は、ＣＰＵ１１、ＲＯＭ１２、ＲＡＭ１３等のハードウェア上に所定のコンピュータソフトウェアを読み込ませることにより、ＣＰＵ１１の制御の元で入力デバイス１４、出力デバイス１５を動作させるとともに、ＲＯＭ１２、ＲＡＭ１３や補助記憶装置１７におけるデータの読み出し及び書き込みを行うことで実現される。
【００２４】
図３は、携帯端末１の機能を示すブロック図である。図３に示すように、携帯端末１は、機能的には、キー入力部（操作部）２０、キー入力制御部２１、制御部２２、キー入力カウント部（操作回数取得部）２３、表示制御部（描画部）２４及び表示部２５を備えている。
【００２５】
キー入力部２０は、上述した入力デバイス１４に対応するユーザインターフェイスであって、例えば、画面におけるフォーカス位置の移動指示又は画面のスクロール指示をユーザ操作によって入力可能に構成されている。キー入力部２０としては、フォーカス位置を画面の上下方向に移動させる上下ボタン、フォーカス位置を画面の左右方向に移動させる左右ボタン、画面を上下方向にスクロールさせる上下スクロールボタン、画面を左右方向にスクロールさせる左右スクロールボタン等が用いられる。これらの上下のボタン又は左右のボタンは、特許請求の範囲の第１操作部及び第２操作部に対応する。
【００２６】
キー入力制御部２１は、キー入力部２０が受け付けたユーザ操作を解析する機能を有している。キー入力制御部２１は、例えば、キー入力部２０が押下されているか否かを判別し、判別結果を制御部２２へ出力する機能を有している。
【００２７】
制御部２２は、携帯端末１の各構成を制御する機能を有している。例えば、制御部２２は、キー入力制御部２１及びキー入力カウント部２３が協働して動作するように制御する機能を有している。また、キー入力制御部２１及び表示制御部２４が協働して動作するように制御する機能を有している。
【００２８】
キー入力カウント部２３は、キー入力制御部２１が出力した判別結果に基づいて、所定期間におけるキー入力部２０の操作回数をカウントする機能を有している。例えば、キー入力カウント部２３は、携帯端末１のメモリに格納された値を参照して操作回数をカウントする期間期間を設定する。この所定期間は、予め定められた値（例えば１秒）であってもよいし、ユーザによって設定可能とされていてもよい。そして、キー入力カウント部２３は、例えばフォーカス移動又は画面スクロールさせる上下ボタンの所定期間における押下回数を取得する機能を有している。
【００２９】
表示制御部２４は、キー入力制御部２１によりフォーカス移動させる操作ボタン又は画面スクロールさせる操作ボタンが操作されたと判別された場合には、キー入力カウント部２３によりカウントされたカウント値を参照し、カウント値に対応する移動量に基づいて、フォーカス移動位置又はスクロール位置を算出する機能を有している。そして、表示制御部２４は、移動途中のフォーカス又はスクロール画面を描画することなく移動後のフォーカスのみ又はスクロール後の画面のみを表示部２５に表示させる機能を有している。
【００３０】
表示部２５は、上述した出力デバイス１５に対応するユーザインターフェイスであって、例えば液晶ディスプレイ等が用いられる。表示部２５は、表示制御部２４の表示指示に基づいて描画する機能を有している。
【００３１】
次に、本実施形態に係る携帯端末１の動作を説明する。図４は、携帯端末１の画面制御の動作を示すフローチャートである。図４に示す制御処理は、例えば携帯端末１の電源がＯＮされたタイミングから所定の間隔で繰り返し実行される。なお、説明理解の容易性を考慮して、以下ではフォーカスを上下方向に移動させる画面制御動作を説明する。
【００３２】
図４に示すように、最初に、キー操作の入力処理を開始する（Ｓ１０：入力ステップ）。Ｓ１０の処理では、キー入力部２０及びキー入力制御部２１がユーザの操作を入力する。例えば、ユーザによってキー入力部２０を介してフォーカス位置を上方向に移動させる上操作キーが押下された場合には、キー入力制御部２１により上操作キーの押下を入力する。Ｓ１０の処理が終了すると、カウント処理へ移行する（Ｓ１２：操作回数取得ステップ）。
【００３３】
Ｓ１２の処理では、キー入力カウント部２３が、キー入力部２０の種類又は操作ごとに所定期間内の操作回数をカウントする。例えば、所定期間内のＳ１０の処理において、フォーカス位置を上方向に移動させる上操作キーが連続して３回押下され、続いてユーザによってキー入力部２０を介してフォーカス位置を下方向に移動させる下操作キーが連続して４回押下された場合には、上操作キーの操作回数は３回、下操作キーの操作回数は４回とカウントする。そして、上下操作キーの操作回数の差分をカウント値とする。例えば、上操作キーの操作回数が３回であり、下操作キーの操作回数が４回である場合には、上操作キーの操作回数と下操作キーの操作回数との差分すなわち下操作キー１回を所定期間におけるカウント値とする。同様に、例えば、ユーザによって上操作キーが３回、下操作キーが４回、上操作キーが５回連続して押下された場合には、キー入力カウント部２３は、２−４＋５と計算し、上操作キー３回とする。なお、上下操作キーの操作回数が同一であれば、所定期間におけるカウント値は０回とする。Ｓ１２の処理が終了すると、フォーカス移動処理へ移行する（Ｓ１４）。
【００３４】
Ｓ１４の処理では、表示制御部２４がフォーカス移動位置を算出する。表示制御部２４は、Ｓ１２の処理でカウントされたカウント値に基づいてフォーカスの移動量を算出する。表示制御部２４は、例えば、上操作キーの１回操作当たりの移動量にカウント値を積算してフォーカスの移動量を算出する。例えば、上操作キーが１回操作されるとフォーカスを１行移動させる設定となっている場合にはカウント値がそのまま移動量となる。表示制御部２４は、現在のフォーカス位置と算出した移動量に基づいて、フォーカス移動位置を算出する。Ｓ１４の処理が終了すると、描画処理へ移行する（Ｓ１６：描画ステップ）。
【００３５】
Ｓ１６の処理では、表示制御部２４が、Ｓ１４の処理で算出したフォーカス移動位置までフォーカスを移動させた画面を表示部２５に表示させる。Ｓ１６の処理が終了すると、図４に示す制御処理を終了する。
【００３６】
以上で図４に示す制御処理を終了する。図４に示す制御処理を実行することにより、所定期間内にフォーカスを移動させる操作キーが押下された場合は、１回の操作ごとに描画処理が行われるのではなく、所定経過後にまとめて描画処理が行われる。この動作結果について、図５を用いて説明する。図５は、携帯端末１の動作を説明する概要図であり、画面の遷移を示している。なお、ここでは１回のボタン操作で１行のフォーカス移動が行われるものとし、下操作キーが５回押下されたものとする。例えば、従来の携帯端末の場合、又は本実施形態の携帯端末１において所定期間内に１回ずつしか操作されない場合には、図５（Ａ）に示すように、操作回数に応じて当初のフォーカス位置から１行ごとにフォーカスが移動し、５行下の行にフォーカスが順次移動する描画が行われる（画面１〜６）。一方、本実施形態の携帯端末１において、所定期間内に連続して下操作キーが５回押下された場合には、図５（Ｂ）に示すように、図５（Ａ）に示す画面２〜５のフォーカス移動は省略され、５行下の行にフォーカスが移動した後の画面２が描画される。
【００３７】
ところで、従来の携帯端末にあっては、搭載されるＣＰＵの処理能力が端末サイズの制約又は端末コスト低減の観点から制限されており、その結果操作キーが複数回連続で押下された場合には、ユーザの操作スピードに描画能力が追いつかず、フォーカスが適切な位置に移動できない場合がある。例えば、３秒の間に下操作キーが１５回押下された場合であっても、本来ならば１５行分移動するはずのフォーカスが３行分しか移動できない場合がある。
【００３８】
これに対して、本実施形態に係る携帯端末１及び表示制御方法によれば、キー入力部２０により表示部２５のフォーカスの移動指示が入力され、キー入力カウント部２３により所定期間内のキー入力部２０の操作回数が取得され、表示制御部２４により、操作回数に対応するフォーカスの移動量に基づいてフォーカスの移動位置が算出され、算出された移動位置に基づいて移動途中のフォーカスが描画されることなく移動後のフォーカスのみが表示部に描画される。このため、フォーカス移動の操作が連続して行われた場合であっても、フォーカスの移動中の描画を省略することができるので、迅速に所望の表示画面を表示することが可能となる。さらに、ユーザが操作部を操作した回数分フォーカスが移動するため、ユーザが想定するフォーカスの移動量と実際のフォーカスの移動量とを一致させることができる。よって、ユーザに違和感を与えることを回避することが可能となる。
【００３９】
さらに、本実施形態に係る携帯端末１及び表示制御方法によれば、同一方向へのフォーカス移動と反対方向へのフォーカス移動とが混在する操作が連続して入力された場合であっても、ユーザに違和感を与えることを回避しつつ迅速に所望の表示画面を表示することができる。
【００４０】
なお、上述した実施形態は本発明に係る携帯端末及び表示制御方法の一例を示すものである。本発明に係る携帯端末及び表示制御方法は、実施形態に係る携帯端末１及び表示制御方法に限られるものではなく、各請求項に記載した要旨を変更しない範囲で、実施形態に係る携帯端末１及び表示制御方法を変形し、又は他のものに適用したものであってもよい。
【００４１】
例えば、上述した実施形態では、図４においてフォーカスを上下方向に移動させる画面制御動作を説明したが、上下方向ではなく左右方向であってもよい。また、図４において、フォーカスを移動させる動作を例に説明したが、画面のスクロールについても同様に適用できる。すなわち、携帯端末１は、図４において、Ｓ１０の処理でスクロールキーの操作を入力し、Ｓ１２の処理でスクロールキーの操作回数をカウントし、Ｓ１４の処理でカウント値に基づいてスクロール量を算出し、算出したスクロール量に基づいてスクロール位置を算出し、Ｓ１６の処理で、スクロール後の画面のみを描画する。この動作結果について、図６を用いて説明する。図６は、携帯端末１の動作を説明する概要図であり、画面の遷移を示している。なお、ここでは１回のボタン操作で１行のスクロールが行われるものとし、下操作キーが５回押下されたものとする。例えば、従来の携帯端末の場合、又は本実施形態の携帯端末１において所定期間内に１回ずつしか操作されない場合には、図６（Ａ）に示すように、操作回数に応じて当初のフォーカス位置から１行ごとにスクロールし、５行下の行まで順次スクロールする描画が行われる（画面１〜６）。一方、本実施形態の携帯端末１において、所定期間内に連続して下操作キーが５回押下された場合には、図６（Ｂ）に示すように、図６（Ａ）に示すスクロール途中の画面２〜５は省略され、５行下の行にスクロール後の画面２が描画される。このように、フォーカス移動の操作と同様に、スクロールの操作が連続して行われた場合であっても、スクロール中の描画を省略することができるので、迅速に所望の表示画面を表示することが可能となる。さらに、ユーザが操作部を操作した回数分スクロールするため、ユーザが想定するスクロール量と実際のスクロール量とを一致させることができる。よって、ユーザに違和感を与えることを回避することが可能となる。さらに、同一方向へのスクロールと反対方向へのスクロールとが混在する操作が連続して入力された場合であっても、ユーザに違和感を与えることを回避しつつ迅速に所望の表示画面を表示することができる。
【符号の説明】
【００４２】
１…携帯端末、２０…キー入力部（操作部）、２１…キー入力制御部、２２…制御部、２３…キー入力カウント部（操作回数取得部）、２４…表示制御部（描画部）、２５…表示部。
【図１】
2011203862.tif 000003
【図２】
2011203862.tif 000004
【図３】
2011203862.tif 000005
【図４】
2011203862.tif 000006
【図５】
2011203862.tif 000007
【図６】
2011203862.tif 000008